(57)【特許請求の範囲】
【請求項１】
携帯端末の筐体に取り付けられる受け側コネクタと、
前記受け側コネクタに取り付けられる外部スピーカ部と、
を備えるスピーカシステムにおいて、
前記受け側コネクタは、
円柱状の第１の中空部を囲む第１の円筒部と、円柱状の第２の中空部を囲む第２の円筒部と、を備え、前記第１の中空部と前記第１の円筒部と前記第２の中空部と前記第２の円筒部とは軸を共通とし、前記第１の中空部の半径は前記第２の中空部の半径より短く、前記第１の円筒部と前記第２の円筒部とは隣接し且つ外径が同一であり、前記第１の円筒部と前記第２の円筒部とを軸方向に貫通する第１の空気穴を備える、第１の電気端子部（１５）と、
前記第１の中空部に挿入され、円柱状の第３の中空部を有する第３の円筒部を備え、前記第３の中空部と前記第３の円筒部とは軸を共通とする第１の絶縁物（１７）と、
前記第３の中空部にその一部が挿入され、先端部が前記第２の中空部に突き出た円柱状の第２の電気端子部（１６）と、
を備え、
前記第１の電気端子部（１５）と前記第２の電気端子部（１６）とは、前記第１の絶縁物（１７）により絶縁され、
前記外部スピーカ部は、
前記第２の中空部に着脱可能に挿入され、円柱状の第４の中空部を有する第４の円筒部を備え、前記第４の中空部と前記第４の円筒部とは軸を共通とし、前記第４の円筒部の外径は前記第２の中空部の半径と等しい第３の電気端子部（２）と、
前記第４の中空部に挿入され、円柱状の第５の中空部を有する第５の円筒部を備え、前記第５の中空部と前記第５の円筒部とは軸を共通とする第２の絶縁物（３）と、
前記第５の中空部に挿入され、前記第２の電気端子部（１６）の先端部が差し込まれるべき円柱状の第６の中空部を有する第６の円筒部と、円柱部と、を備え、前記第６の中空部と前記第６の円筒部と前記円柱部とは軸を共通とし、前記第６の円筒部と前記円柱部とは隣接し外径が同一である第４の電気端子部（４）と、
を備え、
前記第３の電気端子部（２）と前記第４の電気端子部（４）とは、前記第２の絶縁物（３）により絶縁され、
前記第１の中空部の半径と前記第３の中空部の半径と前記第４の中空部の半径と前記第５の中空部の半径とは、前記受け側コネクタに前記外部スピーカ部が取り付けられた状態において、前記第１の電気端子部（１５）と前記第４の電気端子部（４）とが接触せず、また、前記第２の電気端子部（１６）と前記第３の電気端子部（２）とが接触しないように設定され、
前記外部スピーカは、更に、
前記第１乃至第４の電気端子部を介して供給される駆動電流が流れるボイスコイル（９）と、
マグネット（１２）と、
前記ボイスコイル（９）を流れる駆動電流及び前記マグネット（１２）との間の電磁気的相互作用により発生する力により振動する振動板（１３）と、
振動する前記振動板（１３）により生じる音波を前記第１の空気穴（１８）に伝える第２の空気穴（８）と、
を備え、
振動する前記振動板（１３）により生じる音波は、前記第１及び第２の空気穴（１８、８）を介して、前記筐体の内部に伝播することを特徴とするスピーカシステム。
【請求項２】
請求項１に記載のスピーカシステムにおいて、
前記第２の中空部の筒状内面にはネジ山及びネジ溝が設けられ、前記第３の電気端子部の前記第４の円筒部の筒状表面にもネジ山及びネジ溝が設けられ、前記外部スピーカ部は、前記受け側コネクタにネジ込み可能であることを特徴とするスピーカシステム。
【発明の詳細な説明】
【０００１】
【発明の属する技術分野】
本発明は、携帯電話機などの携帯端末装置と携帯端末装置からの電気信号を音波信号に変換する外部スピーカとを備えた携帯端末システムに関する。
【０００２】
【従来の技術】
従来、携帯電話機に代表される携帯端末装置は、相手方の音声や着信音の音質を高めることや、携帯端末装置本体の大きさを小型化することが要求されている。携帯端末装置を小型化するには、携帯端末装置本体の内蔵スピーカの縮小化及び薄型化が必要である。
【０００３】
ところで、内蔵スピーカの縮小化及び薄型化が進むにつれて、相手側の音声や着信音の音質は劣化し、音量も小さくなるという既知の問題点がある。一方、携帯端末装置の小型化への要請から内蔵スピーカを大きくすることは困難である。このため、携帯端末装置にスピーカを内蔵させずに、外部スピーカを取り付けるという技術がある。
【０００４】
【発明が解決しようとする課題】
しかし、従来の技術は、携帯端末装置に外部スピーカを取り付けるので、外部スピーカと携帯端末装置とを接続するための信号側端子及び接地側端子への結線が必要であった。また、外部スピーカ用のエンクロージャーを新たに設けることが必要であった。このため、結果的に携帯端末装置と外部スピーカとを備えた携帯端末システムは大型化する場合があった。
【０００５】
そこで、本発明は、外部スピーカを備えた携帯端末システムを小型化することを課題とする。
【０００６】
【課題を解決するための手段】
本発明によれば、携帯端末の筐体に取り付けられる受け側コネクタと、前記受け側コネクタに取り付けられる外部スピーカ部と、を備えるスピーカシステムにおいて、前記受け側コネクタは、円柱状の第１の中空部を囲む第１の円筒部と、円柱状の第２の中空部を囲む第２の円筒部と、を備え、前記第１の中空部と前記第１の円筒部と前記第２の中空部と前記第２の円筒部とは軸を共通とし、前記第１の中空部の半径は前記第２の中空部の半径より短く、前記第１の円筒部と前記第２の円筒部とは隣接し且つ外径が同一であり、前記第１の円筒部と前記第２の円筒部とを軸方向に貫通する第１の空気穴を備える、第１の電気端子部（１５）と、前記第１の中空部に挿入され、円柱状の第３の中空部を有する第３の円筒部を備え、前記第３の中空部と前記第３の円筒部とは軸を共通とする第１の絶縁物（１７）と、前記第３の中空部にその一部が挿入され、先端部が前記第２の中空部に突き出た円柱状の第２の電気端子部（１６）と、を備え、前記第１の電気端子部（１５）と前記第２の電気端子部（１６）とは、前記第１の絶縁物（１７）により絶縁され、前記外部スピーカ部は、
前記第２の中空部に着脱可能に挿入され、円柱状の第４の中空部を有する第４の円筒部を備え、前記第４の中空部と前記第４の円筒部とは軸を共通とし、前記第４の円筒部の外径は前記第２の中空部の半径と等しい第３の電気端子部（２）と、前記第４の中空部に挿入され、円柱状の第５の中空部を有する第５の円筒部を備え、前記第５の中空部と前記第５の円筒部とは軸を共通とする第２の絶縁物（３）と、前記第５の中空部に挿入され、前記第２の電気端子部（１６）の先端部が差し込まれるべき円柱状の第６の中空部を有する第６の円筒部と、円柱部と、を備え、前記第６の中空部と前記第６の円筒部と前記円柱部とは軸を共通とし、前記第６の円筒部と前記円柱部とは隣接し外径が同一である第４の電気端子部（４）と、を備え、前記第３の電気端子部（２）と前記第４の電気端子部（４）とは、前記第２の絶縁物（３）により絶縁され、前記第１の中空部の半径と前記第３の中空部の半径と前記第４の中空部の半径と前記第５の中空部の半径とは、前記受け側コネクタに前記外部スピーカ部が取り付けられた状態において、前記第１の電気端子部（１５）と前記第４の電気端子部（４）とが接触せず、また、前記第２の電気端子部（１６）と前記第３の電気端子部（２）とが接触しないように設定され、前記外部スピーカは、更に、前記第１乃至第４の電気端子部を介して供給される駆動電流が流れるボイスコイル（９）と、マグネット（１２）と、前記ボイスコイル（９）を流れる駆動電流及び前記マグネット（１２）との間の電磁気的相互作用により発生する力により振動する振動板（１３）と、振動する前記振動板（１３）により生じる音波を前記第１の空気穴（１８）に伝える第２の空気穴（８）と、を備え、振動する前記振動板（１３）により生じる音波は、前記第１及び第２の空気穴（１８、８）を介して、前記筐体の内部に伝播することを特徴とするスピーカシステムが提供される。
【０００７】
上記のスピーカシステムにおいて、前記第２の中空部の筒状内面にはネジ山及びネジ溝が設けられ、前記第３の電気端子部の前記第４の円筒部の筒状表面にもネジ山及びネジ溝が設けられ、前記外部スピーカ部は、前記受け側コネクタにネジ込み可能であるようにしてもよい。
【０００８】
【発明の実施の形態】
以下、本発明の実施形態について図面を参照して説明する。
【０００９】
（実施形態１）
図１は、本発明の実施形態１の携帯端末システムの外観を示す模式図である。本実施形態では、図１に示すように、携帯電話機、ＰＨＳ、トランシーバなどの携帯端末装置２１のケース背面２２側に、スピーカシステム３０を装着している。スピーカシステム３０の装着位置をケース背面２２にしているのは、携帯端末装置２１の操作の妨げにならないようにするためであり、たとえば携帯端末装置２１の側面に設けるようにしてもよい。
【００１０】
ちなみに、図１に示すように、ケース背面２２の上部にスピーカシステム３０を装着できるような構造とすると、通話時や操作時に、携帯端末装置２１を持つ手がスピーカシステム３０に当たらないようにすることができるので、ユーザが携帯端末装置２１を保持しやすくなる。
【００１１】
図２は、図１のスピーカシステム３０付近のケース背面２２の断面図である。図３（ａ），図３（ｂ）は、スピーカシステム３０の分解斜視図である。図４（ａ），図４（ｂ）は、図３（ａ）のＡ−Ａ’方向，図３（ｂ）のＢ−Ｂ’方向の断面図である。
【００１２】
スピーカシステム３０は、外部スピーカ部１９と受け側コネクタ２０とを有している。本実施形態では、外部スピーカ部１９の第２のコネクタであるところの端子２にネジ山を形成し、第１のコネクタであるところの受け側コネクタ２０側にこのネジ山に対応するネジ穴を形成して、外部スピーカ部１９と受け側コネクタ２０とを電気的に接続して、携帯端末装置２１からの電気信号を外部スピーカ部１９側へ伝達している。
【００１３】
なお、ここでは、外部スピーカ部１９側にネジ山を形成し、受け側コネクタ２０側にこのネジ山に対応したネジ穴を形成している様子を示しているが、受け側コネクタ２０側にネジ山を形成し、外部スピーカ部１９側にこのネジ山に対応したネジ穴を形成してもよく、要するに、螺合により外部スピーカ部１９側と受け側コネクタ２０側とを頑丈に接続できればよい。
【００１４】
（構成の説明）
外部スピーカ部１９は、信号電流が流れるボイスコイル９と、磁束を発生させるマグネット１２と、ボイスコイル９の内側の磁束の向きを整えるポールピース１１と、ボイスコイル９の外側の磁束の向きを整えるヨーク７と、音波信号を放射するための振動板１３と、低域周波数の音波信号を良好に放射するためのバッフル１０と、携帯端末装置２１側に音波信号を伝えるための伝達穴であるところの空気穴８と、これらを固定するための絶縁性のフレーム１とを有するダイナミックスピーカ６を備えている。
【００１５】
また、外部スピーカ部１９は、端子２，４とフレーム１とにそれぞれ物理的に結合されて端子２と端子４とを電気的に絶縁する絶縁物３と、フレーム１の内部に設けられて端子２，４とボイスコイル９とをそれぞれ接続する導線１４，５とを備えている。なお、導線１４，５は、ボイスコイル９の別々の端に接続されている。
【００１６】
また、受け側コネクタ２０は、端子１５，１６と物理的に結合されており端子１５，１６を電気的に絶縁している絶縁物１７と、空気穴８に対応する位置に設けられた伝達穴であるところの空気穴１８と、端子１５と出力信号の接地側とを電気的に接続する導線２３と、端子１６と出力信号の信号側とを電気的に接続する導線２４とを備えている。
【００１７】
なお、図３（ａ），図３（ｂ）には、空気穴１８をＵ字形状とした様子を図示しているが、外部スピーカ部１９と受け側コネクタ２０とを螺合したときに空気穴８を通じて伝達される音波信号が携帯端末装置２１側に到達するような形状であれば、Ｕ字形状に限定されない。
【００１８】
（動作の説明）
図２に示すように、外部スピーカ部１９と受け側コネクタ２０とが螺合されると、端子２と端子１５とが、また、端子４と端子１６とが電気的に接続される。さらに、空気穴８と空気穴１８とを通じて携帯端末装置２１側に、ダイナミックスピーカ６で変換された音波信号が空気を介して伝えられる状態になる。
【００１９】
このため、図示しない導体から携帯端末装置２１で受けた音声に係る接地側信号もしくは着信音に係る接地側信号が伝えられると、接地側信号は導線２３、端子１５，２、導線１４を通ってボイスコイル９に流れる。また、図示しない導体から携帯端末装置２１で受けた音声に係る電気信号もしくは着信音に係る電気信号が伝えられると、電気信号は導線２４、端子１６，４、導線５を通ってボイスコイル９に流れる。
【００２０】
ボイスコイル９にこれらの信号が流れると、フレミング左手の法則に基づいてボイスコイル９に力が加わり、これに直結された振動板１３が振動する。このような手順により、ダイナミックスピーカ６を駆動して、携帯端末装置２１からの電気信号を音波信号に変換して放射する。ダイナミックスピーカ６で変換された音波信号は、空気穴８及び空気穴１８を通じて携帯端末装置２１側に伝達される。このとき、携帯端末装置２１本体を、外部スピーカ１９のエンクロージャーとして利用している。
【００２１】
（実施形態２）
図５は、本発明の実施形態２の携帯端末システムに係るスピーカシステムの分解断面図であり、図４に相当するものである。なお、図５において図４と同様の部分には同一符号を付している。
【００２２】
図５に示すように、本実施形態では、外部スピーカ部２６と受け側コネクタ２７とを、端子４と端子１６との接触面の摩擦力及び端子２４と端子２５との接触面の摩擦力により固定できるようにしている。このように構造にすると、外部スピーカ部２６や受け側コネクタ２７に、ネジ山やネジ穴を設けなくてもよくなるので、製造工程を減らすことができる。
【００２３】
なお、端子１６にスプリングを設けて、外部スピーカ部１９と受け側コネクタ２０とを螺合する際に、端子４と端子１６との物理的接触及び電気的接続の強度を高めるとさらに好ましい。
【００２４】
【発明の効果】
以上、説明したように、本発明は、携帯端末装置の筐体及び外部スピーカに、これらを電気的に接続できるような第１，第２のコネクタをそれぞれ備えるとともに、第１のコネクタ及び外部スピーカに、外部スピーカで発生した音波信号を携帯端末装置側に伝達する伝達穴を設けているので、特別に信号側端子及び接地側端子への結線をしたり、エンクロージャーを新たに設けることが不要となり、携帯端末システムを小型化することができる。
【図面の簡単な説明】
【図１】本発明の実施形態１の携帯端末システムの外観を示す模式図である。
【図２】図１のスピーカシステム付近のケース背面の断面図である。
【図３】図１のスピーカシステムの分解斜視図である。
【図４】図３の断面図である。
【図５】本発明の実施形態２の携帯端末システムに係るスピーカシステムの分解断面図である。
【符号の説明】
１  フレーム
２，４，１５，１６  端子
３，１７  絶縁物
５，１４  導線
６  ダイナミックスピーカ
７  ヨーク
８，１８  空気穴
９  ボイスコイル
１０  バッフル
１１  ポールピース
１２  マグネット
１３  振動板
１９，２６  外部スピーカ部
２０，２７  受け側コネクタ
２１  携帯端末装置
２２  ケース背面
２３，２４  導線
【図１】
0003646636.tif 000002
【図２】
0003646636.tif 000003
【図３】
0003646636.tif 000004
【図４】
0003646636.tif 000005
【図５】
0003646636.tif 000006